(57)【要約】【課題】シーツを尿受け壁部にしっかりと取り付けることができつつ、シーツを尿受け壁部に対して意図的に着脱する際には、容易に着脱することのできるペット用トイレを提供することを目的とする。【解決手段】ペットがした尿を受け止める尿受け壁部３６の上部に、該尿受け壁部３６にシーツを取り付けるシーツ取付け部材４０の取り付けを許容するシーツ被取付け部３７を形成するとともに、該シーツ被取付け部３７を、シーツ被取付け部３７の周辺部分に対して厚み方向へ変形した変形形状で形成し、シーツ取付け部材４０に、該シーツ取付け部材４０を前記シーツ被取付け部３７に嵌脱可能に嵌め込んで、シーツとともに該シーツ被取付け部３７を厚み方向の両側から挟み込む一対のシーツ挟込み片４０，４５を備え、前記一対のシーツ挟込み片４０，４５のうち少なくとも一方を、シーツ被取付け部３７の前記変形形状に沿った屈曲形状で形成した。【選択図】図１
2014143928.tif 000002
【特許請求の範囲】
【請求項１】
ペットを載置する基台と、該基台の外周側から立設した壁部とで構成し、
前記壁部に、前記基台に載置したペットがした尿を受け止める尿受け壁部を備えるとともに、該尿受け壁部にシーツを取り付けるシーツ取付け部材を備えたペット用トイレであって、
前記尿受け壁部の上部に、前記シーツ取付け部材の取り付けを許容するシーツ被取付け部を形成するとともに、該シーツ被取付け部を、前記尿受け壁部における前記シーツ被取付け部の周辺部分に対して厚み方向へ変形した変形形状で形成し、
前記シーツ取付け部材に、該シーツ取付け部材を前記シーツ被取付け部に嵌脱可能に嵌め込んで、シーツとともに該シーツ被取付け部を厚み方向の両側から挟み込む一対のシーツ挟込み片を備え、
前記一対のシーツ挟込み片のうち少なくとも一方を、
前記シーツ被取付け部の前記変形形状に沿った屈曲形状で形成した
ペット用トイレ。
【請求項２】
前記変形形状を、前記基台と反対側へ反った反り形状とした
請求項１に記載のペット用トイレ。
【請求項３】
前記シーツ取付け部材を、
シーツ取付け部材本体部と、前記シーツ被取付け部に係合可能に前記シーツ取付け部材本体部に対して突出した弾性係合片とで構成し、
前記弾性係合片を、前記シーツ被取付け部の厚みに応じて弾性変形可能な弾性を有して形成し、
前記一対のシーツ挟込み片のうち一方を、前記シーツ取付け部材本体部に設定するとともに、前記一対のシーツ挟込み片のうち他方を、前記弾性係合片に設定した
請求項１または２に記載のペット用トイレ。
【請求項４】
前記シーツ取付け部材本体部を、
前記シーツ被取付け部の前記変形形状に沿った屈曲形状で形成するとともに、
前記シーツ取付け部材本体部に、前記屈曲形状に保持する形状保持手段を形成した
請求項３に記載のペット用トイレ。
【請求項５】
前記シーツ取付け部材本体部を、前記シーツ取付け部材の長さ方向に亘って、連続して形成し、
前記弾性係合片を、
前記シーツ取付け部材本体部の長さ向の一方側に配置した一方側弾性係合片と、前記シーツ取付け部材本体部の長さ向の他方側に配置した他方側弾性係合片とで構成した
請求項３または４に記載のペット用トイレ。
【発明の詳細な説明】
【技術分野】
【０００１】
この発明は、ペットがした尿が周囲に飛散しないように受け止めることができる尿受け壁部を備えるとともに、該尿受け壁部に沿って配置したシーツを取り付けることができるペット用トイレに関する。
【背景技術】
【０００２】
上述したようなペット用トイレとして、例えば、下記特許文献１のペット用トイレが提案されている。  
特許文献１のペット用トイレは、トイレ本体の周面部にペットシーツ取付壁を設け、該ペットシーツ取付壁に沿って配置したペットシーツを固定する固定手段をペットシーツ取付壁の上端部に形成した構成である。  
固定手段としては、例えば、鋸歯状のスリット、着脱式面接合テープ（いわゆる「面ファスナ」）、フックボタン、クリップ等で形成することができる。
【０００３】
下記特許文献１によれば、固定手段が例えば、鋸歯状のスリットである場合には、鋸歯状のスリットにシーツの一部を差し込むと、シーツはスリットにより噛合されるため、例えば、ペットがシーツを噛んで引張るなどしても、簡単に引き抜かれることなく強固に固定した状態を保つことができる旨の記載がされている。
【０００４】
しかし、このように、ペットがシーツや固定手段を噛むなどして引張った場合であっても、シーツがペットシーツ取付壁の固定部分から不測に外れないように、単純にシーツを強い力で固定手段によって固定した場合には、意図的にシーツを外そうとした際に、固定手段による固定を解除してシーツを容易に外すことができないという事態が生じることになる。
【０００５】
例えば、フックボタンや着脱式面接合テープを互いに離間するためには、強い力で引張って離間する必要があり、また、クリップを摘んで外す場合には、クリップの本体を強い力で摘む必要があるなど、いずれも容易にシーツを外すことができなかった。
【０００６】
このため、日常的に行う必要があるシーツの取り換え作業が面倒であるという課題が生じていた。
【先行技術文献】
【特許文献】
【０００７】
【特許文献１】実用新案登録第３１１２５４４号公報
【発明の概要】
【発明が解決しようとする課題】
【０００８】
そこでこの発明は、シーツを尿受け壁部にしっかりと取り付けることができつつ、シーツを尿受け壁部に対して意図的に着脱する際には、容易に着脱することのできるペット用トイレを提供することを目的とする。
【課題を解決するための手段】
【０００９】
本発明は、ペットを載置する基台と、該基台の外周側から立設した壁部とで構成し、前記壁部に、前記基台に載置したペットがした尿を受け止める尿受け壁部を備えるとともに、該尿受け壁部にシーツを取り付けるシーツ取付け部材を備えたペット用トイレであって、前記尿受け壁部の上部に、前記シーツ取付け部材の取り付けを許容するシーツ被取付け部を形成するとともに、該シーツ被取付け部を、前記尿受け壁部における前記シーツ被取付け部の周辺部分に対して厚み方向へ変形した変形形状で形成し、前記シーツ取付け部材に、該シーツ取付け部材を前記シーツ被取付け部に嵌脱可能に嵌め込んで、シーツとともに該シーツ被取付け部を厚み方向の両側から挟み込む一対のシーツ挟込み片を備え、前記一対のシーツ挟込み片のうち少なくとも一方を、前記シーツ被取付け部の前記変形形状に沿った屈曲形状で形成したことを特徴とする。
【００１０】
前記シーツ被取付け部を、前記尿受け壁部における前記シーツ被取付け部の周辺部分に対して厚み方向へ変形した変形形状で形成するとともに、前記一対のシーツ挟込み片のうち少なくとも一方を、前記シーツ被取付け部の前記変形形状に沿った屈曲形状で形成したため、シーツ取付け部材を、シーツ被取付け部に対して嵌脱する際には、前記シーツ取付け部材を、厚み方向へ変形したシーツ被取付け部に沿ってスライドさせながら嵌脱する必要がある。
【００１１】
すなわち、シーツ取付け部材をシーツ被取付け部に対して嵌脱する際には、該シーツ取付け部材を、シーツ被取付け部の変形形状に沿って傾けながらスライドさせるという、直線状の動作よりも、ペットにとって、より実効困難な動作を伴うため、例えば、ペットが噛んで引張るような単純な直線状の動作によってシーツ取付け部材がシーツ被取付け部に対して不測に外れることがなく、シーツをシーツ被取付け部に取り付けた状態にしっかりと保つことができる。
【００１２】
その一方で、上述したように、シーツ取付け部材を、シーツ被取付け部の前記変形形状に沿って傾けながらスライドさせるという動作は、飼い主などの人間にとっては、容易に実行可能な動作であるため、シーツ取付け部材を、シーツ被取付け部に対して意図的に嵌脱する際には、シーツ取付け部材を、シーツ被取付け部に対して容易に嵌脱することができる。
【００１３】
前記シーツ取付け部材は、前記一対のシーツ挟込み片を、互いに一体に形成しているものであっても、前記一対のシーツ挟込み片のそれぞれを別体で構成したものであってもいずれでもよい。
【００１４】
この発明の態様として、前記変形形状を、前記基台と反対側へ反った反り形状とすることができる。
【００１５】
上述した構成によれば、シーツ取付け部材を、シーツ被取付け部に対してペットにとって実行困難な動作である捻りを伴う動作によって嵌脱する必要があるため、シーツをシーツ被取付け部に取り付けた状態にしっかりと保つことができる。
【００１６】
その一方で、シーツ取付け部材を、シーツ被取付け部に対して意図的に嵌脱する際に必要となる、上述したシーツ取付け部材を捻る動作は、飼い主などの人間にとっては、動かし易い動作であるため、シーツ取付け部材を、シーツ被取付け部に対して捩じるだけで片手でも容易に嵌脱することができる。
【００１７】
ここで、前記厚み方向の一方側へ反った反り形状とは、前記シーツ被取付け部が前記壁部の厚み方向に対して基台の側へ反り返った形状や、基台と反対側へ反り返った反り形状をいうが、これら形状に限定せず、例えば、波形状などの反り形状であってもよい。また、前記反り形状は、前記シーツ被取付け部の全体を反り形状で形成したものに限らず、前記シーツ被取付け部の一部にのみ形成してもよい。さらにまた、前記反り形状は、曲線状に限らず、段状、屈曲形状などシーツ被取付け部の基部側から上部側に進むに従って厚み方向の一方側へ変形した形状であれば、特に限定しない。
【００１８】
またこの発明の態様として、前記シーツ取付け部材を、シーツ取付け部材本体部と、前記シーツ被取付け部に係合可能に前記シーツ取付け部材本体部に対して突出した弾性係合片とで構成し、前記弾性係合片を、前記シーツ被取付け部の厚みに応じて弾性変形可能な弾性を有して形成し、前記一対のシーツ挟込み片のうち一方を、前記シーツ取付け部材本体部に設定するとともに、前記一対のシーツ挟込み片のうち他方を、前記弾性係合片に設定することができる。
【００１９】
上述した構成によれば、シーツとシーツ被取付け部とを、シーツ取付け部材本体部と弾性係合片とで挟み込んだ状態において、シーツ取付け部材本体部の厚みに応じて弾性変形する弾性係合片の弾性力を利用してシーツをしっかりと挟み込んだ状態で弾性係合片を、シーツ被取付け部に対して係合することができるため、シーツをシーツ被取付け部にしっかりと取り付けることができる。
【００２０】
またこの発明の態様として、前記シーツ取付け部材本体部を、前記シーツ被取付け部の前記変形形状に沿った屈曲形状で形成するとともに、前記シーツ取付け部材本体部に、前記屈曲形状に保持する形状保持手段を形成することができる。
【００２１】
上述した構成によれば、前記シーツ取付け部材本体部に、前記屈曲形状に保持する形状保持手段を形成したため、前記シーツ取付け部材本体部は、前記屈曲形状に保持可能な形状保持性を確保できる。このため、前記シーツ取付け部材を前記シーツ被取付け部に対して嵌脱させる際に、前記シーツ取付け部材本体部は、不測に変形することなく、前記シーツ被取付け部の前記変形形状に沿って確実にスライドさせることができる。
【００２２】
従って、上述したように、シーツ取付け部材を、例えば、シーツ被取付け部に対してペットにとって困難な動作である捻りを伴う動作によって嵌脱する必要があるため、しっかりとシーツをシーツ被取付け部に取り付けた状態に保つことができる。
【００２３】
ここで、前記形状保持手段は、例えば、シーツ取付け部材本体部に補強用のリブで構成することができる。
【００２４】
またこの発明の態様として、前記シーツ取付け部材本体部を、前記シーツ取付け部材の長さ方向に亘って、連続して形成し、前記弾性係合片を、前記シーツ取付け部材本体部の長さ向の一方側に配置した一方側弾性係合片と、前記シーツ取付け部材本体部の長さ向の他方側に配置した他方側弾性係合片とで構成することができる。
【００２５】
上述した構成によれば、前記一方側弾性係合片と前記他方側弾性係合片とのそれぞれを、シーツを挟み込んだ状態で前記シーツ被取付け部に対して係合することにより、前記一方側弾性係合片、及び前記他方側弾性係合片と、前記シーツ取付け部材本体部とで、前記シーツ被取付け部をシーツごと挟み込んだ状態で、シーツを前記シーツ被取付け部にしっかりと取り付けることができる。
【００２６】
さらに、前記シーツ取付け部材本体部を、前記シーツ取付け部材の長さ方向に亘って、連続して形成したため、前記シーツ取付け部材を前記シーツ被取付け部に対して着脱する際には、前記一方側弾性係合片と前記他方側弾性係合片とのそれぞれを、前記シーツ被取付け部に対して一括して容易に着脱することができる。
【発明の効果】
【００２７】
この発明によれば、シーツを尿受け壁部にしっかりと取り付けることができつつ、シーツを尿受け壁部に対して意図的に着脱する際には、容易に着脱することのできるペット用トイレを提供することができる。
【図面の簡単な説明】
【００２８】
【図１】ペット用トイレの斜視図。
【図２】ペット用トイレの分解斜視図。
【図３】ペット用トイレの背面側から視た分解斜視図。
【図４】ペット用トイレの平面図。
【図５】ペット用トイレの正面図。
【図６】ペット用トイレの背面図。
【図７】ペット用トイレの右側面図。
【図８】ペット用トイレの底面図。
【図９】図５中のＡ−Ａ線断面図。
【図１０】図５中のＢ−Ｂ線断面図。
【図１１】図９中の一部拡大図。
【図１２】図９中、及び図１０中の一部拡大図。
【図１３】シーツ取付け部材の構成説明図。
【図１４】シーツ取付け部材の構成説明図。
【図１５】ペット用トイレの作用説明図。
【図１６】ペット用トイレの作用説明図。
【図１７】ペット用トイレの作用説明図。
【図１８】ペット用トイレの構成、及び作用の説明図。
【図１９】他の実施形態のペット用トイレの構成説明図。
【発明を実施するための形態】
【００２９】
この発明の一実施形態を以下図面とともに詳述する。  
図１は本実施形態のペット用トイレ１を右斜め上方から視た斜視図であり、図２は本実施形態のペット用トイレ１を右斜め上方から視た分解斜視図であり、図３は本実施形態のペット用トイレ１を背面側から視た分解斜視図である。
【００３０】
図４はペット用トイレ１の平面図であり、図５はペット用トイレ１の正面図であり、図６はペット用トイレ１の背面図であり、図７はペット用トイレ１の右側面図であり、図８はペット用トイレ１の底面図である。図９は図５中のＡ−Ａ線断面図であり、図１０は図５中のＢ−Ｂ線断面図である。
【００３１】
なお、図９中の仮想線で示した壁枠部材３０は、該壁枠部材３０を枢動させることで、ベースプレート１０に敷いたシーツを交換する様子を示している。
【００３２】
図１１（ａ）は図９中の領域Ｚ１の一部拡大図であり、図１１（ｂ）は図９中の領域Ｚ２の一部拡大図である。図１２（ａ）は図９中の領域Ｚ３の一部拡大図であり、図１２（ｂ）は図１０中の領域Ｚ４の一部拡大図である。
【００３３】
図１３（ａ）はシーツ取付け部材４０の平面図であり、図１３（ｂ）はシーツ取付け部材４０の正面図であり、図１３（ｃ）はシーツ取付け部材４０の底面図であり、図１３（ｄ）はシーツ取付け部材４０の背面図である。図１４（ａ）はシーツ取付け部材４０の拡大右側面図であり、図１４（ｂ）は図１３（ｂ）中のＡ−Ａ線拡大断面図であり、図１４（ｃ）は図１３（ｃ）中のＢ−Ｂ線拡大断面図である。
【００３４】
本実施形態のペット用トイレ１は、図１に示したように、ベースプレート１０と、壁枠部材３０と、押え網２０と、シーツ取付け部材４０と、固定具５０とで構成している。
【００３５】
図４に示すように、ベースプレート１０は、平面視略長方形板状に形成され、シーツ（図示せず）を載置可能に外周縁部に周壁１１ａを有する皿状に形成し、中央部分には、若干底上げをした平坦な便床部１１ｂが形成されるとともに、その外周部位に、シーツの固定を行う部位である固定溝１１ｃが形成されている。
【００３６】
なお、固定溝１１ｃには、シーツを係合可能に固定する複数の突条１２が略等分配されている。
【００３７】
ベースプレート１０の周壁１１ａにおける対向長辺部分の各長辺部分の中間位置には、幅方向Ｗの内側へ切り欠いた一対のベースプレート側切欠き部１３を形成している。
【００３８】
一対のベースプレート側切欠き部１３は、一方側と他方側とでそれぞれ同じ形態で構成し、それぞれのベースプレート側切欠き部１３の間には、軸部１４をベースプレート１０の長辺方向Ｌに沿って横架している。
【００３９】
なお、壁枠部材３０は、該壁枠部材３０の前方側がベースプレート１０の幅方向Ｗの一方側、或いは他方側のいずれの側となるように、ベースプレート１０に対して設置することができる。そして、ベースプレート１０の幅方向Ｗの両側に有する一対のベースプレート側切欠き部１３のそれぞれの軸部１４は、ベースプレート１０に対する壁枠部材３０の設置方向に応じて、ベースプレート１０に対する壁枠部材３０の回動軸となる機能と、固定具５０を係合するための機能とのいずれとしても機能させることができる。  
【００４０】
上述した押え網２０について説明する。  
押え網２０は、ベースプレート１０に載せたシーツと同様の略長方形をした板状に形成し、ベースプレート１０の中央側でシーツの表面に被せるカバー部２１と、該カバー部２１を壁枠部材３０側に固定する押え網取付け部２２とで形成している。押え網２０は、合成樹脂で形成しているが、金属など適宜の材料で形成してもよい。  
【００４１】
カバー部２１は、枠状の壁枠部材３０の内側（中央側）の空間部分に相当する平面視長方形状で形成し、底浅の底面部分全体を方形の目（上記隙間部２１ｂ）を有する網状に形成している。
【００４２】
詳しくは、網状のカバー部２１は、シーツの表面側へ尿が通過する大きさをした複数の隙間部２１ｂを全体に有した格子状に形成している。  
上記カバー部２１を構成する複数の線状部２１ａは、複数本ごとにシーツを押圧可能に下方へ突状に形成している。
【００４３】
上記押え網取付け部２２は、カバー部２１の長手方向の両端部であって、幅方向の中間部分から長手方向の外側へ突片状に形成し、その幅方向Ｗの両側部分には、厚み方向に連通した平面視長方形状の係合孔２３が形成されている（図３参照）。
【００４４】
続いて、上記壁枠部材３０について説明する。  
壁枠部材３０は、該ベースプレート１０に載せたシーツを上方から押さえ付けて固定する壁枠基部３１と、押え網２０に載上したペットを外周から覆うように壁枠基部３１に対して立設した壁部３５とで一体に構成している。
【００４５】
壁部３５は、ペット用トイレ１の主に、左右両側部分と背面部分（後面部分）とに形成するとともに、正面側（前面側）においては、長辺方向Ｌの中間部分を除く両側部分に形成し、それぞれ周方向に連続して形成している。  
ペット用トイレ１の正面側の長辺方向Ｌの中間部分は、ペットの押え網２０に対して載り降り可能な幅を有して開口している。
【００４６】
ここで、壁部３５のうち、ペット用トイレ１の右側面部分に相当する壁部３５を右側面壁部３５Ｒに設定し、左側面部分に相当する壁部３５を左側面壁部３５Ｌに設定し、背面側面部分に相当する壁部３５を背面側面壁部３５Ｂに設定する。
【００４７】
背面側面壁部３５Ｂ、及び、背面側面壁部３５Ｂと左側面壁部３５Ｌ及び右側面壁部３５Ｒとの隅角部分にかけての部分は、押え網２０に載上した雄犬の尿を受け止めることができるように、壁部３５の周方向における他の部分よりも高背に形成した尿受け壁部３６として形成している。  
さらに、尿受け壁部３６の上部は、シーツ取付け部材４０の取り付けを許容するシーツ被取付け部３７として形成している。  
シーツ被取付け部３７の上部は、図１２（ａ），（ｂ）に示すように、上方に進むに連れ、後方側に沿って反った反り形状に形成している。換言すると、シーツ被取付け部３７の上部は、上方に進むに連れ、後方側へ湾曲しながら突出する形状で形成している。
【００４８】
また、図６に示すように、背面側面壁部３５Ｂの背面側上部における幅方向の両側部分、詳しくは、背面側面壁部３５Ｂを背面側から正面視した状態において、シーツ被取付け部３７に取り付けたシーツ取付け部材４０の貫通孔４７に相当する箇所には、後方に向けて突出する背面リブ４４を形成している。
【００４９】
背面リブ４４は、シーツ取付け部材本体部４１を幅方向へスライドさせると、シーツ取付け部材本体部４１における貫通孔４７の縁部４７ａに当接可能な突出長さで形成するとともに（図１８（ｃ），（ｄ），（ｅ）参照）、貫通孔４７の上下方向の間隔よりも短い上下方向長さで上下方向に沿って形成している（図１８（ａ），（ｃ），（ｄ）参照）。
【００５０】
なお、上記壁枠部材３０における上記押え網２０に載上したペットと対向する側の表面は、壁部３５の隅角部分、壁枠基部３１の隅角部分、及び、壁部３５と壁枠基部３１との境界部分を含め、尿が不用意に貯溜せずに押え網２０まで滑らかに流下し易いように、Ｒを施して滑らかな曲面形状で形成している。
【００５１】
また、図３に示すように、壁枠基部３１は、壁枠部材３０をベースプレート１０に載置した状態において、該ベースプレート１０に載せたシーツを上方から押圧可能に形成するとともに、該壁枠基部３１の下面における、押え枠２０の上記押え枠取付け部４３に形成した係合孔２３と対向する部分には、該係合孔２３へ差し込み可能な係合突出部３２を下方に向けて突出して形成している。
【００５２】
また、図３に示すように、上記壁枠部材３０における正面側の長辺部の中間部分には、固定具５０を嵌め込み可能な壁枠部材側切欠き部３３を形成するとともに、固定具５０は、該壁枠部材側切欠き部３３に嵌め込んだ状態で壁枠部材３０の側に枢着されている。
【００５３】
詳しくは、図３に示すように、固定具５０の長手方向の両端側から長手方向の外側に突出した後述する枢着部５１を、該壁枠部材側切欠き部３３の縁部に枢着している。
【００５４】
さらに、図３、及び図１１（ａ）に示すように、壁枠基部３１の正面側部分であって、壁枠部材側切欠き部３３に相当する部分には、固定具５０でベースプレート１０に対して固定した状態で係合可能に垂下する垂下係合突片３８を形成している。すなわち、垂下係合突片３８は、固定具５０の係合突部５２と係合可能に形成している。
【００５５】
また、図３、及び図１１（ｂ）に示すように、壁枠基部３１の背面側部分であって、長辺状の中間部分には、ベースプレート１０に形成した軸部１４を回動軸自在に支持可能な凹状の回動受け部３４を下方に向けて形成している。  
なお、ペット用トイレ１は、回動受け部３４を軸部１４によって支持した状態で該軸部１４の軸回りに枢動させることで、図９中の仮想線で示した壁枠部材３０のように、該壁枠部材３０をベースプレート１０に対して背面側へ傾けることができ、ベースプレート１０に載せたシーツの交換等を行うことができる。
【００５６】
続いて上述したシーツ取付け部材４０について説明する。  
シーツ取付け部材４０は、シーツを尿受け壁部３６に沿って垂下した状態でシーツ被取付け部３７に取り付ける長尺な板状部材であり、図１３、及び図１４に示すように、シーツ取付け部材本体部４１と、弾性係合片４５とで構成し、これらシーツ取付け部材本体部４１と弾性係合片４５とを、合成樹脂により一体に形成している。
【００５７】
シーツ取付け部材本体部４１は、板状に形成するとともに、幅方向の中途部分には、段状に変形させた段状変形部４１ｂを長手方向に沿って形成している。
【００５８】
詳しくは、図１４（ｂ）に示すように、シーツ取付け部材４０をシーツ被取付け部３７に取り付けた姿勢で断面視した状態において、上側から下側へ順に、上側本体構成部４１ａと段状変形部４１ｂと下側本体構成部４１ｃとで構成している。
【００５９】
なお、シーツ取付け部材４０をシーツ被取付け部３７に取り付けた姿勢において、シーツ取付け部材本体部４１の両側の面のうち、前方側を向く一方の面を、前面部４１Ｆに設定するとともに、後方側を向く一方の面を、背面部４１Ｂに設定する。
【００６０】
上側本体構成部４１ａ、及び下側本体構成部４１ｃは、略上下方向に沿って平坦状に形成している。一方、段状変形部４１ｂは、上側本体構成部４１ａに対して前方側へ突出し、段状変形部４１ｂと上側本体構成部４１ａとの間部分、及び、段状変形部４１ｂと下側本体構成部４１ｃとの間部分は、緩やかな湾曲形状で形成している。
【００６１】
具体的には、シーツ取付け部材本体部４１は、上側本体構成部４１ａの下部から下側本体構成部４１ｃの上部にかけて、シーツ被取付け部３７の上述した反り形状と略同じ反り形状に湾曲した断面形状で形成している。
【００６２】
シーツ取付け部材本体部４１は、シーツ取付け部材４０をシーツ被取付け部３７に取り付ける際、又は、シーツ被取付け部３７に取り付けた状態において、略撓み変形しないように、シーツ取付け部材本体部４１の長手方向の両端部分に、シーツ取付け部材本体部４１の剛性を高めるためのリブ４２を形成している。これにより、シーツ取付け部材本体部４１は、それ自体を上述した断面形状に保持可能な形状保持性を有している。
【００６３】
リブ４２は、シーツ取付け部材４０の背面部４１Ｂにおいて上端部から下端部にかけての部分が肉厚になるように後方側へ突出して形成している。
【００６４】
前記シーツ取付け部材本体部４１は、シーツ取付け部材４０の長さ方向に亘って連続して形成するとともに、弾性係合片４５は、シーツ取付け部材本体部４１の長さ向の両側部分に配置している。  
なお、シーツ取付け部材本体部４１における弾性係合片４５との対向部分は厚み方向に貫通した貫通孔４７を形成している。
【００６５】
弾性係合片４５は、シーツ取付け部材本体部４１とともにシーツ被取付け部３７、及びシーツを挟み込み可能に、シーツ取付け部材本体部４１の前面部４１Ｆから突出して形成するとともに、シーツ被取付け部３７、及びシーツの厚みに応じて撓み変形（弾性変形）可能な弾性を有して形成している。
【００６６】
詳しくは、弾性係合片４５は、上側本体構成部４１ａの前面部４１Ｆから前方側に突出した突出片部４５ａと、下側本体構成部４１ｃと略平行に垂下する垂下片部４５ｂとで形成している。突出片部４５ａと垂下片部４５ｂとの間は、上述したシーツ被取付け部３７の反り形状に沿った反り形状で湾曲した断面形状で形成している。  
さらに、弾性係合片４５は、シーツ取付け部材本体部４１の長手方向の一方側と他方側とにそれぞれ配置した一対で構成し、これら一対の弾性係合片４５は、シーツ取付け部材４０をシーツ被取付け部３７に取り付けた状態において、正面視したとき、前記シーツ取付け部材本体部４１の右側に相当する右側弾性係合片４５Ｒと、左側に相当する左側弾性係合片４５Ｌとで構成している。
【００６７】
最後に上記固定具５０について説明する。  
固定具５０は、壁枠部材３０をベースプレート１０に係合によりロックするための部材であり、図１、図４及び、図５に示すように、ペット用トイレ１を平面視したとき、中央側に相当する部分に壁枠部材側切欠き部３３に備えている。  
固定具５０は、図３（ａ）、及び、図７に示すように、ベースプレート側切欠き部１３と壁枠部材側切欠き部３３とのそれぞれに嵌め込み可能に、それぞれの切欠き部１３，３３の長辺方向Ｌと略同じ長さで形成している。
【００６８】
固定具５０は、図１１（ａ）に示すように、縦断面視すると、弧形状を有した断面形状に形成し、断面視した状態の縦断面長手方向の基端側に、壁枠部材３０側に枢着可能な枢着部５１を形成するとともに、縦断面長手方向の先端側に、垂下係合突片３８の先端側に係脱可能な係合突部５２を形成している。さらに、固定具５０は、長手方向の中途部分は、円弧状に外側へ突出した突出部分を有し、係合突部５２を垂下係合突片３８に係合した状態で、該突出部分に、その内周部分により回動可能に軸部１４を保持する軸受け部５３を形成している。上記固定具５０は、上記壁枠部材側切欠き部３３の長手方向の縁部に枢着部５１を枢着することで、壁枠部材３０に対して回動自在に一体に備えている。
【００６９】
上述したペット用トイレ１は、上述したように、ベースプレート１０に敷いた状態で、押え網２０で上方から挟み込むようにして取り付けるシーツと、尿受け壁部３６に沿って垂下した状態でシーツ取付け部材４０によって取り付けるシーツとの２種類の尿吸収シートのうち、少なくとも一方をセット可能に構成している。  
なお、上述したように、シーツを尿受け壁部３６に垂下した状態で取り付けることによって、雄犬（ペット）が尿をしてもしっかりと尿を受け止めることができる。また、ベースプレート１０に敷いた状態で、押え網２０で上方から挟み込むようにして取り付けるシーツは図示省略している。
【００７０】
さらに、上述したペット用トイレ１が奏する特有の作用、効果について図１５乃至図１７を用いて説明する。  
なお、図１５はシーツＳをシーツ取付け部材４０によりシーツ被取付け部３７に取り付けた状態に奏する作用説明図である。図１６はシーツＳをシーツ取付け部材４０によりシーツ被取付け部３７に垂下した状態で取り付ける際に奏する作用説明図である。図１７はシーツ被取付け部３７に嵌挿したシーツ取付け部材４０を該シーツ被取付け部３７から取り外す際に奏する作用説明図である。また、図１５乃至図１７中において、背面側面壁部３５Ｂに形成した上述した背面リブ４４は省略して示している。  
【００７１】
本実施形態のペット用トイレ１によれば、上述したとおり、尿受け壁部３６におけるシーツ被取付け部３７の上部を、上方に進むに連れ、後方側に沿って反った反り形状に形成している（図１２（ａ），（ｂ）参照）。一方、シーツ取付け部材４０におけるシーツ取付け部材本体部４１は、シーツ被取付け部３７の上述した反り形状と略同じ反り形状に湾曲した断面形状で形成するとともに、リブ４２によって、シーツ被取付け部３７に取り付けた状態において、略撓み変形しない形状保持性を有している。
【００７２】
これにより、シーツ取付け部材４０を、尿受け壁部３６におけるシーツ被取付け部３７に対して嵌脱する際には、前記シーツ取付け部材４０を、シーツ被取付け部３７の上述した反り形状に沿わしながら曲線状にスライドさせながら嵌脱する必要がある。
【００７３】
このため、例えば、図１５（ａ）に示すように、ペットがシーツ取付け部材４０を噛んで引張るなどのじゃれる行動をした場合であっても、ペットが噛んで引張るような動作は、単純な直線状の動作にすぎないため、シーツ取付け部材４０がシーツ被取付け部３７に対して不測に外れることがない。
【００７４】
すなわち、シーツ取付け部材４０をシーツ被取付け部３７に対して嵌脱する際には、該シーツ取付け部材４０を、シーツ被取付け部３７の前記変形形状に沿って傾けながらスライドさせて嵌脱するという、ペットにとって、より実行困難な動作を伴うため、シーツＳをシーツ被取付け部３７に取り付けた状態にしっかりと保つことができる。
【００７５】
その一方で、上述したように、シーツ取付け部材４０を、シーツ被取付け部３７の前記変形形状に沿って傾けながらスライドさせるという動作は、飼い主などの人間にとっては、容易に動作が可能であるため、シーツ取付け部材４０を、シーツ被取付け部３７に対して意図的に嵌脱する際には、シーツ取付け部材４０を、シーツ被取付け部３７に対して容易に嵌脱することができる。
【００７６】
具体的には、シーツ取付け部材４０によって、シーツ被取付け部３７にシーツＳを取り付ける際には、まず、図１６（ａ）に示すように、シーツＳを尿受け壁部３６の前面側に配置した状態でシーツの上部を背面側壁部３５の上端に引掛けるようにして背面側へ折り返す（図１６（ｃ）中の矢印Ｄ１参照）。
【００７７】
その状態で、図１６（ｂ）に示すように、シーツ取付け部材４０によって、シーツ被取付け部３７をシーツＳごと挟み込む。その際、図１６（ｃ）に示すように、シーツ被取付け部３７の上部の上述した反り形状に沿うようにシーツ取付け部材４０の姿勢を傾けながら、シーツ被取付け部３７の上部がシーツ取付け部材本体部４１と弾性係合片４５とによって挟み込まれるようにシーツ取付け部材４０をスライドさせることで（図１６（ｃ）中の矢印Ｄ３参照）、図１６（ｄ）に示すように、シーツ被取付け部３７に対してスムーズに取り付けることができる。
【００７８】
一方、シーツ被取付け部３７からシーツＳを取り外す際には、図１７（ａ）に示す状態のシーツ取付け部材４０をシーツ被取付け部３７から取り外す必要があるが、まず、図１７（ｂ）に示すように、シーツ被取付け部３７の上部の上述した反り形状に沿うようにシーツ取付け部材４０の姿勢を傾けながら、シーツ被取付け部３７の上部に対して挟み込んだシーツ取付け部材本体部４１と弾性係合片４５とを抜く方向にスライドさせることで（図１７（ｂ）中の矢印Ｄ４参照）、弾性係合片４５が弾性変形するため、図１７（ｃ）に示すように、シーツ取付け部材４０をシーツ被取付け部３７に対してスムーズに取り外すことができる。
【００７９】
従って、シーツ被取付け部３７からシーツを、意図的に着脱する際には容易に取り外すことができ、シーツの取り換えを容易に行うことができる。
【００８０】
また、シーツ取付け部材４０をシーツ被取付け部３７に取り付けた状態においては、互いに近似の反り形状で形成したシーツ被取付け部３７とシーツ取付け部材本体部４１とがシーツＳを挟んで対面した状態でフィットさせることができるため、安定した取り付け状態を得ることができる。
【００８１】
さらに、シーツ取付け部材本体部４１とともに挟み込んだシーツＳやシーツ被取付け部３７の厚みに応じて撓み変形した弾性係合片４５の弾性力（復元力）によって、シーツ被取付け部３７に対してシーツをしっかりと取り付けた状態に保つことができる。
【００８２】
加えて、図１２（ａ），（ｂ）に示すように、シーツＳの上部をシーツ被取付け部３７に対して正面側から背面側へ折り返して、シーツＳの上部における尿受け壁部３６の側に配置した部分と折返し部分との双方を、シーツ被取付け部３７ごと弾性係合片４５とシーツ取付け部材本体部４１とによって挟み込んで取り付ける取付形態としたため、弾性係合片４５とシーツ取付け部材本体部４１とで挟み込む対象の厚みを１枚のシートＳの場合と比較して格段に増加させることで、弾性係合片４５による弾性力を活かして優れたシーツ保持力を得ることができる。
【００８３】
従って、仮に、図１５（ｂ）に示すように、押え網２０に載っているペットが尿受け壁部３６に沿って垂下した状態で取り付けたシーツＳを引張るなどしてもシーツがシーツ取付け部材４０から外れてしまうことがなく、シーツＳをシーツ被取付け部３７にしっかりと取り付けた状態に保つことができる。
【００８４】
さらにまた、図６、及び図１８（ａ），（ｂ），（ｃ），（ｄ），（ｅ）に示すように、ペット用トイレ１は、背面側面壁部３５Ｂの背面側上部における幅方向の両側部分に、背面リブ４４を形成している。  
なお、図１８（ａ）は、図６の背面側面壁部３５Ｂの背面側上部における幅方向の一方側部分の拡大図であり、シーツ取付け部材本体部４１を仮想線で示している。図１８（ｂ）は、シーツＳを取り付けた状態の図６の背面側面壁部３５Ｂの背面側上部における幅方向の一方側部分の拡大図である。図１８（ｃ）は、図１８（ｂ）中のＣ−Ｃ線拡大断面図であり、図１８（ｄ）は、図１８（ｂ）中のＤ−Ｄ線拡大断面図であり、図１８（ｅ）は、図１８（ｂ）中のＥ−Ｅ線拡大断面図である。
【００８５】
上述した構成によれば、シーツ取付け部材４０がシーツ被取付け部３７に取り付いた状態で幅方向にスライドした場合、シーツ取付け部材本体部４１における貫通孔４７の縁部４７ａが背面リブ４４に当接することで、それ以上、シーツ取付け部材４０がスライドすることを規制することができる。
【００８６】
具体的には、シーツ取付け部材４０が幅方向の一方側にスライドしようとした場合には、背面側面壁部３５Ｂの幅方向の一方側に配置した背面リブ４４がシーツ取付け部材本体部４１における幅方向の一方側に形成した貫通孔４７の縁部４７ａに当接する。
【００８７】
一方、シーツ取付け部材４０が幅方向の他方側にスライドしようとした場合には、背面側面壁部３５Ｂの幅方向の他方側に配置した背面リブ４４がシーツ取付け部材本体部４１における幅方向の他方側に形成した貫通孔４７の縁部４７ａに当接する。
【００８８】
このように、背面側面壁部３５Ｂに背面リブ４４を形成することによって、シーツ取付け部材４０が、シーツ被取付け部３７に取り付けた状態において、幅方向の一方側と他方側とのうちのいずれかの側に不測にスライドしても、それ以上、シーツ取付け部材４０が幅方向へスライドしないように規制することができるため、シーツ取付け部材４０がシーツ被取付け部３７から不測に外れることを防ぐことができる。
【００８９】
従って、シーツ取付け部材４０は、シーツＳを見栄えよくしっかりとシーツ被取付け部３７に取り付けた状態に保つことができる。
【００９０】
また、図１８（ｂ），（ｃ），（ｄ），（ｅ）に示すように、シーツ被取付け部３７の背面側で垂下するシーツＳの折返し部分は、背面リブ４４によって係合されるとともに、シーツ取付け部材４０によってシーツＳを挟み込んだ状態でシーツ被取付け部３７の側へ押圧することができる。
【００９１】
これにより、特に、図１８（ｅ）に示すように、シーツＳは、幅方向において、背面リブ４４とシーツ取付け部材４０との間で強固に噛みあった状態（係合しあった）状態となるため、シーツ取付け部材４０によってシーツ被取付け部３７に取り付けたシーツＳの保持力を格段に向上させることができる。
【００９２】
従って、シーツＳをペットが引っ張るなどしてもシーツ被取付け部３７とシーツ取付け部材４０との間に介在するシーツＳがこれらの間から不測に外れることがなく、シーツＳをシーツ被取付け部３７にしっかりと取り付けた状態に保つことができる。
【００９３】
さらに、上述したペット用トイレ１は、以下の作用、効果を奏することができる。
【００９４】
シーツ取付け部材４０は、シーツ取付け部材本体部４１を、前記シーツ取付け部材４０の長さ方向の全長に亘って連続して形成し、シーツ取付け部材本体部４１の長さ向の各側に右側弾性係合片４５Ｒと左側弾性係合片４５Ｌとを配置した構成である。
【００９５】
上述した構成によれば、右側弾性係合片４５Ｒと左側弾性係合片４５Ｌとのそれぞれを、シーツＳを挟み込んだ状態でシーツ被取付け部３７に対して係合することにより、右側弾性係合片４５Ｒと左側弾性係合片４５Ｌとの双方によって、シーツＳをシーツ取付け部材本体部４１とともに、しっかりと挟み込んだ状態で取り付けることができる。
【００９６】
さらに、シーツ取付け部材本体部４１を、前記シーツ取付け部材４０の長さ方向の全長に亘って連続して形成したため、シーツ取付け部材４０をシーツ被取付け部３７に対して着脱する際に、シーツ被取付け部３７の反り形状に沿って、シーツ取付け部材本体部４１を傾けながら上方へスライドさせることで、右側弾性係合片４５Ｒと左側弾性係合片４５Ｌとのそれぞれを、シーツ被取付け部３７に対して一括で容易に係脱することができる。
【００９７】
その他にも、ペット用トイレ１は、上述したように、シーツＳの上部をシーツ被取付け部３７に対して正面側から背面側へ折り返して、尿受け壁部３６の側に配置した部分と折返し部分との双方を、シーツ被取付け部３７ごと弾性係合片４５とシーツ取付け部材本体部４１とで挟み込んで取り付ける取付形態であるため（図１７（ａ）参照）、シーツ被取付け部３７の上端側から尿受け壁部３６とシーツＳとの間にごみなどが侵入するおそれがないという効果も奏することができる。
【００９８】
この発明の構成と、実施形態との対応において、  
この発明の基台は、実施形態のベースプレート１０に対応し、  
以下同様に、
一方側弾性係合片４５は、右側弾性係合片４５Ｒに対応し、
他方側弾性係合片４５は、左側弾性係合片４５Ｌに対応するも、
この発明は、上述の実施形態の構成のみに限定されるものではなく、請求項に示される技術思想に基づいて応用することができ、多くの実施の形態を得ることができる。  
例えば、シーツ取付け部材４０は、シーツ取付け部材本体部４１と弾性係合片４５とを一体に形成したが、これに限らず、それぞれを別部材で構成し、ヒンジ等でシーツ取付け部材本体部４１に対して、弾性係合片４５を枢動した構成であってもよい。
【００９９】
また、シーツ取付け部材４０は、シーツ取付け部材本体部４１の長さ向の各側に右側弾性係合片４５と左側弾性係合片４５Ｌとを配置した構成であるが、この構成に限定せず、シーツ取付け部材本体部４１に対して弾性係合片４５を１つ、或いは３以上備えた構成であってもよい。
【０１００】
さらに、他の実施形態のペット用トイレ１Ｐとして、図１９に示すように、ペットのサイズに応じて、上述したペット用トイレ１に対して尿受け壁部３６の高さ等、幅や奥行を広く形成するなど、任意のサイズで構成することができる。
【符号の説明】
【０１０１】
１，１Ｐ…ペット用トイレ
１０…ベースプレート
３５…壁部
３６…尿受け壁部
３７…シーツ被取付け部
４０…シーツ取付け部材
４１…シーツ取付け部材本体部
４５…弾性係合片
４７…貫通孔
４５Ｒ…右側弾性係合片
４５Ｌ…左側弾性係合片
【図１】
2014143928.tif 000003
【図２】
2014143928.tif 000004
【図３】
2014143928.tif 000005
【図４】
2014143928.tif 000006
【図５】
2014143928.tif 000007
【図６】
2014143928.tif 000008
【図７】
2014143928.tif 000009
【図８】
2014143928.tif 000010
【図９】
2014143928.tif 000011
【図１０】
2014143928.tif 000012
【図１１】
2014143928.tif 000013
【図１２】
2014143928.tif 000014
【図１３】
2014143928.tif 000015
【図１４】
2014143928.tif 000016
【図１５】
2014143928.tif 000017
【図１６】
2014143928.tif 000018
【図１７】
2014143928.tif 000019
【図１８】
2014143928.tif 000020
【図１９】
2014143928.tif 000021